(57)【要約】【課題】チューブの流路を閉塞する際に、可動部の捩れ解消することのできるクランプを提供すること。【解決手段】基部2は基端連結部7/PEの上部側に可動部3を形成し、末端連結部7/DEの上部側に基部側係合部9を形成している。基部側係合部9は係合突起部9Tを突設し、当該係合突起部9Tに係合壁9Wを形成している。基部2はチューブ押圧部2.1と、一対の側壁5SW/DEを有する主チューブ保持部5/DEを形成している。可動部3は、末端壁8FWと係合壁8Wを有する係合部8を有し、当該係合部8は末端壁8FWと係合壁8Wを有する。可動部3は、両側部に一対の可動部側壁部3SWを形成している。前記一対の末端側壁5SW/DEは、略垂直に基部2から上部方向に立設した略垂直壁5SWVに形成し、かつ前記可動部側壁部3SWは、上部側から下部側に向けて広がる傾斜壁3SWを形成している。【選択図】図１
2018000836.tif 000002
【特許請求の範囲】
【請求項１】
湾曲した基端連結部（７／ＰＥ）で連結した略板状の基部（２）と略板状の可動部（３）の各対向面に、それぞれチューブ（Ｔ）を押圧して閉止するチューブ押圧部（２．１、６）を形成し、
前記基端連結部（７／ＰＥ）を変形させて前記基部（２）の基部側係合部（９）と前記可動部（３）の可動部側係合部（８）を相互に係合するクランプ（１）において、
前記基部（２）は、当該基部（２）から前記可動部（３）に向かって突設した一対の側壁（５ＳＷ）を有する主チューブ保持部（５／ＤＥ）を形成し、
前記可動部（３）は、当該可動部（３）から前記基部（２）に向かって一対の可動部側壁（３ＳＷ）を突設し、
前記主チューブ保持部（５／ＤＥ）の一対の側壁（５ＳＷ／ＤＥ）の外面は、基部（２）から可動部（３）方向に略垂直壁（５ＳＷＶ）として突設し、
前記可動部側壁（３ＳＷ）の内面は傾斜側壁（３ＳＷＳ）に形成し、
当該傾斜側壁（３ＳＷＳ）は、前記可動部（３）が前記基部（２）方向へ移動して、前記基部（２）の基部側係合部（９）と前記可動部（３）の可動部側係合部（８）を相互に係合するに際して、前記略垂直壁（５ＳＷＶ）に係合できるように形成した、ことを特徴とするクランプ（１）。
【請求項２】
請求項１に記載のクランプ（１）において、
前記可動部（３）の一対の側壁（３ＳＷ）の内面は前記基部（２）方向に略垂直側壁（３ＳＷＶ）として突設し、
前記主チューブ保持部（５／ＤＥ）の一対の側壁（５ＳＷ／ＤＥ）の外面は傾斜側壁（５ＳＷＳ）に形成し、
当該傾斜側壁（５ＳＷＳ）は、前記可動部（３）が前記基部（２）方向へ移動して、前記基部（２）の基部側係合部（９）と前記可動部（３）の可動部側係合部（８）を相互に係合するに際して、前記略垂直側壁（３ＳＷＶ）に係合できるように形成した、ことを特徴とするクランプ（１）。
【請求項３】
請求項１または請求項２に記載のクランプ（１）において、
前記主チューブ保持部（５／ＤＥ）の一対の側壁（５ＳＷ／ＤＥ）の上部（Ｕ）は上部壁（５Ｗ／ＤＥ／Ｕ）で覆った、ことを特徴とするクランプ（１）。
【請求項４】
請求項１から請求項３のいずれか１項に記載のクランプ（１）において、
前記主チューブ保持部材（５／ＤＥ）の基端（ＰＥ）側に、側壁空間(５ＳＷＳＰ)を隔てて、一対の側壁（５ＳＷ／ＰＥ）を有する補助チューブ保持部材（５／ＰＥ）を形成した、ことを特徴とするクランプ（１）。
【請求項５】
請求項１から請求項４のいずれか１項に記載のクランプ（１）において、可動部側係合部（８）は、一対の係合側壁（８ＳＷ）を形成し、
当該一対の係合側壁（８ＳＷ）は、湾曲部を有することを特徴とするクランプ（１）。
【請求項６】
請求項５に記載のクランプ（１）において、前記係合側壁（８ＳＷ）の内面は傾斜壁（８ＳＷＳ）に形成した、ことを特徴とするクランプ（１）。
【請求項７】
請求項１から請求項６のいずれか１項に記載のクランプ（１）において、係合側壁（８ＳＷ）は、可動部側係合壁（８Ｗ）の下部（Ｄ）側に形成し、可動部側係合壁（８Ｗ）と基部側係合壁（９Ｗ）とを係合した状態で見た時に、可動部側係合壁（８Ｗ）よりも、末端（ＤＥ）側に実質的に突出しないように形成したことを特徴とするクランプ（１）。
【請求項８】
請求項１から請求項７のいずれか１項に記載のクランプ（１）において、
前記基部（２）は基端（ＰＥ）側に、基端連結部（７／ＰＥ）を形成し、当該基端連結部（７／ＰＥ）は、基端開口（７Ｏ／ＰＥ）を形成し、
前記基部（２）は末端（ＤＥ）側に、末端連結部（７／ＤＥ）を形成し、当該末端連結部（７／ＤＥ）は、末端開口（７Ｏ／ＤＥ）を形成し、
前記基端連結部（７／ＰＥ）の上部（Ｕ）側に前記可動部（３）を形成し、前記末端連結部（７／ＤＥ）の上部（Ｕ）側に基部側係合部（９）を形成し、
当該基部側係合部（９）は係合突起部（９Ｔ）を突設し、当該係合突起部（９Ｔ）の下部（Ｄ）側に基部側係合壁（９Ｗ）を形成し、
前記基部（２）は、末端（ＤＥ）側から基端（Ｅ）側にわたって、かつ上部（Ｕ）側に、チューブ押圧部（２．１）とチューブ保持部（５）を形成し、
前記チューブ保持部（５）は、末端側チューブ保持部（５／ＤＥ）と基端側チューブ保持部（５／ＰＥ）を有し、
前記チューブ押圧部（２．１）は、前記末端側チューブ保持部（５／ＤＥ）と前記基端側チューブ保持部（５／ＰＥ）との間に形成し、
前記末端側チューブ保持部（５／ＤＥ）は、一対の末端側壁（５ＳＷ／ＤＥ）を有し、当該一対の末端側壁（５ＳＷ／ＤＥ）の上部（Ｕ）側は、末端側上部壁（５Ｗ／ＤＥ／Ｕ）で覆い、前記基端側チューブ保持部（５／ＰＥ）は、一対の基端側壁（５ＳＷ／ＰＥ）を有し、
前記可動部（３）は、末端（ＤＥ）側に可動部側係合部（８）を形成し、当該可動部側係合部（８）は、末端（ＤＥ）側に可動部側末端壁（８ＦＷ）を形成し、
前記可動部側係合部（８）は、上部（Ｕ）側に可動部側係合壁（８Ｗ）を形成し、
前記可動部（３）は、前記下部（Ｄ）側に可動部側チューブ押圧部（６）を形成し、当該可動部側チューブ押圧部（６）は、下部（Ｄ）側に可動部側チューブ押圧部突部（６Ｔ）を形成した、ことを特徴とするクランプ（１）。
【請求項９】
請求項１から請求項８のいずれか１項に記載のクランプ（１）において、
可動部側係合部（８）は、末端（ＤＥ）側に可動部側末端壁（８ＦＷ）を形成し、当該可動部側末端壁（８ＦＷ）は、斜面状に形成し、
係合突起部（９Ｔ）の前記可動部側末端壁（８ＦＷ）と係合する面は、斜面状に形成した、ことを特徴とするクランプ（１）。
【請求項１０】
請求項１から請求項９のいずれか１項に記載のクランプ（１）において、
基部側係合部（９）の係合突起部（９Ｔ）の両側部の面は、斜面状に形成した、ことを特徴とするクランプ（１）。
【請求項１１】
チューブ（Ｔ）と、請求項１から請求項１０のいずれか１項に記載のクランプ（１）とを有し、前記チューブ（Ｔ）の途中に、前記クランプ（１）を装着した、ことを特徴とする医療用具。
【発明の詳細な説明】
【技術分野】
【０００１】
本発明は、クランプの改良に関し、クランプに挿通したチューブの流路を閉塞する際に、可動部の捩れ解消することのできる形状、構造に関する。
本発明のクランプは、例えば、血液チューブを有する体液循環回路（例えば血液透析用回路、血液浄化用回路等）、血液バッグを有する血液採取器具（血液保存器具）、輸液（薬液）バッグを有する医薬品関連器具（例えば、高カロリー輸液容器、薬液容器）、輸液・輸血セット等の各種医療用具の構成部品であるチューブの途中に装着して、好適に使用することができる。
【背景技術】
【０００２】
出願人は、特許文献１（特開２０１３−１７６５４３号）にガタツキがなく確実に閉塞でき、さらにチューブの流路の閉塞状態を長時間、維持継続できるクランプの発明を開示した。（以下、本願の符号と区別するために、符号、図の番号、文献番号に〈  〉を付けた。）
特許文献１の図〈１〉から図〈７〉に記載のクランプ〈１〉（図〈８〉から図〈９〉に記載のクランプ〈１´〉も同じ）は、基部〈２〉は基端連結部〈７ＰＥ〉と末端連結部〈７ＤＥ〉を有し、基端連結部〈７ＰＥ〉に可動部〈３〉を形成し、末端連結部〈７ＤＥ〉に、基部側係合補助部〈９Ｔ〉を有する基部側係合部〈９〉を形成している。
【０００３】
基部〈２〉は基部側チューブ押圧部突部〈２．１Ｔ〉とチューブ保持部〈５〉を有し、可動部〈３〉は、可動部側チューブ押圧部突部〈６Ｔ〉と、一対のガイド部〈８Ｇ（８Ｓ１Ｇ、８Ｓ２Ｇ）〉を備えた可動部側係合部〈８〉を有する。
チューブ保持部〈５〉は、第１側壁〈５Ｓ１Ｗ〉、第２側壁〈５Ｓ２Ｗ〉、末端側壁〈５ＤＥＷ〉及び基端側壁〈５ＰＥＷ〉の四方の壁を有し、これらによりチューブ保持空間〈ＳＰ〉を形成し、チューブ〈Ｔ〉は、当該空間〈ＳＰ〉内で、可動部側チューブ押圧部突部〈６Ｔ〉と基部側チューブ押圧部突部〈２．１Ｔ〉との間で押圧され、チューブ〈Ｔ〉の流路は閉塞される。
【０００４】
特許文献２には、第１板状部〈１４〉と第２板状部〈１６〉との側方への相対的な位置ずれと、それら両板状部に対する医療チューブ〈１２〉の側方への位置ずれを、何れも効果的に防止しつつ、第１板状部〈１４〉と第２板状部〈１６〉とを接近方向へ相対変位させて圧迫用突部間で医療チューブ〈１２〉を圧迫閉止する操作を、迅速に且つ確実に行うことができる、医療チューブ用クランプの発明が開示されている。
【０００５】
すなわち、第１板状部〈１４〉および前記第２板状部〈１６〉には、一方の板状部から他方の板状部に向かって突出して前記医療チューブの側方への位置ずれを防止する両側壁部〈４１、４２〉と、該他方の板状部から一方の板状部に向かって突出する中央案内突部〈４８〉が形成されている。中央案内突部〈４８〉の先端部両側面が中央に向かって突出して第１板状部と第２板状部の接近方向への相対変位に際して両側壁部への引掛かりを防止しつつ中央案内突部〈４８〉を両側壁部〈４１、４２〉間へ入り込ませる傾斜案内面〈４８〉としている。
【先行技術文献】
【特許文献】
【０００６】
【特許文献１】特開２０１３−１７６５４３号公報（特許請求の範囲、図１〜図１０）
【特許文献２】特許第５８０４３８８号（特許請求の範囲、段落［０００８］、図１〜図９）
【発明の概要】
【発明が解決しようとする課題】
【０００７】
特許文献１に記載のクランプ〈１〉は、チューブの閉塞操作をする際に基端連結部〈７ＰＥ〉が捩れると、可動部〈３〉の一対のガイド部〈８Ｇ（８Ｓ１Ｇ、８Ｓ２Ｇ）〉は、可動部側係合壁〈８Ｗ〉よりも末端〈ＤＥ〉側に突出して形成しているため、基部側係合部〈９〉が干渉して、チューブの閉塞操作が実施しにくくなる。
また基部側チューブ押圧部突部〈２．１Ｔ〉は、第１側壁〈５Ｓ１Ｗ〉、第２側壁〈５Ｓ２Ｗ〉、末端側壁〈５ＤＥＷ〉及び基端側壁〈５ＰＥＷ〉の四方の壁を有するチューブ保持部〈５〉は内に配置されているので、チューブの閉塞操作をする際に、基端連結部〈７ＰＥ〉が捩れた際に、可動部側チューブ押圧部突部〈６Ｔ〉が四方の壁を有するチューブ保持部〈５〉と干渉し、チューブの閉塞操作が実施しにくくなる。
【０００８】
特許文献２に記載のクランプは、両側壁部〈４１、４２〉の上部側は開放しているので、チューブが両側壁部〈４１、４２〉を乗り越えて、側部方向へはみ出す場合があり、チューブを閉塞できない場合がある。
また斜め方向から力を加えてクランプに捩れが発生した場合は、両側壁部〈４１、４２〉の角部と、前記傾斜案内面〈４８〉の基部が干渉し、チューブの閉塞操作が実施しにくくなる。
【課題を解決するための手段】
【０００９】
そこで本発明者は、以上の課題を解決するために鋭意検討を重ねた結果、次の発明に到達した。
［１］本発明は、湾曲した基端連結部（７／ＰＥ）で連結した略板状の基部（２）と略板状の可動部（３）の各対向面に、それぞれチューブ（Ｔ）を押圧して閉止するチューブ押圧部（２．１、６）を形成し、
前記基端連結部（７／ＰＥ）を変形させて前記基部（２）の基部側係合部（９）と前記可動部（３）の可動部側係合部（８）を相互に係合するクランプ（１）において、
前記基部（２）は、当該基部（２）から前記可動部（３）に向かって突設した一対の側壁（５ＳＷ）を有する主チューブ保持部（５／ＤＥ）を形成し、
前記可動部（３）は、当該可動部（３）から前記基部（２）に向かって一対の可動部側壁（３ＳＷ）を突設し、
前記主チューブ保持部（５／ＤＥ）の一対の側壁（５ＳＷ／ＤＥ）の外面は、基部（２）から可動部（３）方向に略垂直壁（５ＳＷＶ）として突設し、
前記可動部側壁（３ＳＷ）の内面は傾斜側壁（３ＳＷＳ）に形成し、
当該傾斜側壁（３ＳＷＳ）は、前記可動部（３）が前記基部（２）方向へ移動して、前記基部（２）の基部側係合部（９）と前記可動部（３）の可動部側係合部（８）を相互に係合するに際して、前記略垂直壁（５ＳＷＶ）に係合できるように形成したクランプ（１）を提供する。
［２］本発明は［１］に記載のクランプ（１）において、
前記可動部（３）の一対の側壁（３ＳＷ）の内面は前記基部（２）方向に略垂直側壁（３ＳＷＶ）として突設し、
前記主チューブ保持部（５／ＤＥ）の一対の側壁（５ＳＷ／ＤＥ）の外面は傾斜側壁（５ＳＷＳ）に形成し、
当該傾斜側壁（５ＳＷＳ）は、前記可動部（３）が前記基部（２）方向へ移動して、前記基部（２）の基部側係合部（９）と前記可動部（３）の可動部側係合部（８）を相互に係合するに際して、前記略垂直側壁（３ＳＷＶ）に係合できるように形成したクランプ（１）を提供する。
【００１０】
［３］本発明は［１］または［２］に記載のクランプ（１）において、
前記主チューブ保持部（５／ＤＥ）の一対の側壁（５ＳＷ／ＤＥ）の上部（Ｕ）は上部壁（５Ｗ／ＤＥ／Ｕ）で覆ったクランプ（１）を提供する。
［４］本発明は［１］から［３］のいずれか１項に記載のクランプ（１）において、
前記主チューブ保持部材（５／ＤＥ）の基端（ＰＥ）側に、側壁空間(５ＳＷＳＰ)を隔てて、一対の側壁（５ＳＷ／ＰＥ）を有する補助チューブ保持部材（５／ＰＥ）を形成したクランプ（１）を提供する。
［５］本発明は［１］から［４］のいずれか１項に記載のクランプ（１）において、可動部側係合部（８）は、一対の係合側壁（８ＳＷ）を形成し、
当該一対の係合側壁（８ＳＷ）は、湾曲部を有するクランプ（１）を提供する。
［６］本発明は［５］に記載のクランプ（１）において、前記係合側壁（８ＳＷ）の内面は傾斜壁（８ＳＷＳ）に形成したクランプ（１）を提供する。
［７］本発明は［１］から［６］のいずれか１項に記載のクランプ（１）において、係合側壁（８ＳＷ）は、可動部側係合壁（８Ｗ）の下部（Ｄ）側に形成し、可動部側係合壁（８Ｗ）と基部側係合壁（９Ｗ）とを係合した状態で見た時に、可動部側係合壁（８Ｗ）よりも、末端（ＤＥ）側に実質的に突出しないように形成したクランプ（１）を提供する。
【００１１】
［８］本発明は［１］から［７］のいずれか１項に記載のクランプ（１）において、
前記基部（２）は基端（ＰＥ）側に、基端連結部（７／ＰＥ）を形成し、当該基端連結部（７／ＰＥ）は、基端開口（７Ｏ／ＰＥ）を形成し、
前記基部（２）は末端（ＤＥ）側に、末端連結部（７／ＤＥ）を形成し、当該末端連結部（７／ＤＥ）は、末端開口（７Ｏ／ＤＥ）を形成し、
前記基端連結部（７／ＰＥ）の上部（Ｕ）側に前記可動部（３）を形成し、前記末端連結部（７／ＤＥ）の上部（Ｕ）側に基部側係合部（９）を形成し、
当該基部側係合部（９）は係合突起部（９Ｔ）を突設し、当該係合突起部（９Ｔ）の下部（Ｄ）側に基部側係合壁（９Ｗ）を形成し、
前記基部（２）は、末端（ＤＥ）側から基端（Ｅ）側にわたって、かつ上部（Ｕ）側に、チューブ押圧部（２．１）とチューブ保持部（５）を形成し、
前記チューブ保持部（５）は、末端側チューブ保持部（５／ＤＥ）と基端側チューブ保持部（５／ＰＥ）を有し、
前記チューブ押圧部（２．１）は、前記末端側チューブ保持部（５／ＤＥ）と前記基端側チューブ保持部（５／ＰＥ）との間に形成し、
前記末端側チューブ保持部（５／ＤＥ）は、一対の末端側壁（５ＳＷ／ＤＥ）を有し、当該一対の末端側壁（５ＳＷ／ＤＥ）の上部（Ｕ）側は、末端側上部壁（５Ｗ／ＤＥ／Ｕ）で覆い、前記基端側チューブ保持部（５／ＰＥ）は、一対の基端側壁（５ＳＷ／ＰＥ）を有し、
前記可動部（３）は、末端（ＤＥ）側に可動部側係合部（８）を形成し、当該可動部側係合部（８）は、末端（ＤＥ）側に可動部側末端壁（８ＦＷ）を形成し、
前記可動部側係合部（８）は、上部（Ｕ）側に可動部側係合壁（８Ｗ）を形成し、
前記可動部（３）は、前記下部（Ｄ）側に可動部側チューブ押圧部（６）を形成し、当該可動部側チューブ押圧部（６）は、下部（Ｄ）側に可動部側チューブ押圧部突部（６Ｔ）を形成したクランプ（１）を提供する。
【００１２】
［９］本発明は［１］から［８］のいずれか１項に記載のクランプ（１）において、
可動部側係合部（８）は、末端（ＤＥ）側に可動部側末端壁（８ＦＷ）を形成し、当該可動部側末端壁（８ＦＷ）は、斜面状に形成し、
係合突起部（９Ｔ）の前記可動部側末端壁（８ＦＷ）と係合する面は、斜面状に形成したクランプ（１）を提供する。
［１０］本発明は［１］から［９］のいずれか１項に記載のクランプ（１）において、基部側係合部（９）の係合突起部（９Ｔ）の両側部の面は、斜面状に形成したクランプ（１）を提供する。
［１１］本発明はチューブ（Ｔ）と、［１］から［１０］のいずれか１項に記載のクランプ（１）とを有し、前記チューブ（Ｔ）の途中に、前記クランプ（１）を装着した医療用具を提供する。
【発明の効果】
【００１３】
本発明のクランプは、（１）可動部３を基部２方向に押し下げて、チューブを閉塞するに際し、可動部３は、基端連結部７／ＰＥより側部Ｓの一方向に捩れても、可動部３は基部２方向に押し下げられるにつれて、一対の可動部側壁３ＳＷは、傾斜壁３ＳＷＳ（または略垂直壁３ＳＷＶ）に沿って、上部壁５Ｗ／Ｕから一対の末端側側壁５ＳＷ／ＤＥの両側部（第１側部Ｓ１と第２側部Ｓ２）の略垂直壁５ＳＷＶ（または傾斜壁３ＳＷＳ）
に係合することにより、可動部３の捩れを解消することができる、
【００１４】
（２）チューブが側部の一方向にずれた場合でも、末端側チューブ保持部５／ＤＥの末端側チューブ保持空間５ＳＰ／ＤＥ内に保持した状態で、可動部側係合壁８Ｗと基部側係合壁９Ｗを係合することにより、チューブは、側壁空間５ＳＷＳＰ近傍で、可動部側チューブ押圧部突部６Ｔと基部側チューブ押圧部２．１との間で押圧・挟持され、これによりチューブの流路を閉塞することができる。
【図面の簡単な説明】
【００１５】
【図１】図１は本発明のクランプを末端ＤＥ−上部Ｕ−第１側部Ｓ１方向から見た斜視図である。
【図２】図２は本発明のクランプの側面図である。（Ａ）は末端ＤＥ側から見た側面図で、（Ｂ）は第１側部Ｓ１方向から見た側面図である。
【図３】図３は図２の断面図で、（Ａ）は図２（Ａ）のＡ−Ａ´断面図、（Ｂ）は図２（Ｂ）の状態からクランプを閉じた状態にしたところの断面図である。
【図４】図４は図３（Ｂ）を上部Ｕ方向から見た基部２の基部側係合部９と可動部３の可動部側係合部８の一部拡大図である。概略図でやや誇張して記載している。
【図５】図５は基部２の基部側係合部９と可動部３の可動部側係合部８の一部拡大図である。（Ａ）は図２（Ｂ）の一部拡大図、（Ｂ）は図３（Ａ）の一部拡大図、（Ｃ）は図３（Ｂ）の一部拡大図である。
【図６】図６（Ａ）は図２（Ｂ）のＢ−Ｂ´断面図、（Ｂ）は図３のＣ−Ｃ´断面図である。
【図７】図７は本発明のクランプにチューブを挿通したところの図で、（Ａ）は末端ＤＥ側から見た側面図、（Ｂ）は第１側部Ｓ１方向から見た側面図、（Ｃ）は（Ａ）のＡ−Ａ´断面図である。
【図８】図８は本発明のクランプのチューブ保持部５にチューブを挿通したところの図７（Ｃ）のＢ−Ｂ´断面に対応する断面図である。（Ａ）はチューブが正常の位置にある状態、（Ｂ）はチューブが第１側部Ｓ１方向にずれた状態、（Ｃ）はチューブが上部Ｕ方向にずれた状態を例示している。
【図９】図９は本発明のクランプを上部Ｕ方向から見た側面図（平面図）で、（Ａ）は捩れていない正常な状態、（Ｂ）は基端連結部７／ＰＥが捩れ、可動部３が第２側部Ｓ２方向へ捩れた状態を示している。
【図１０】図１０は本発明のクランプの側面図で、（Ａ）は末端ＤＥ側から見た側面図で、（Ｂ）は第１側部Ｓ１方向から見た側面図、（Ｃ）は（Ａ）のＣ−Ｃ´断面図である。
【図１１】図１１は図１０（Ｃ）のＤ-Ｄ´断面図である。（Ａ）捩れた状態、（Ｂ）は可動部３が基部２側へ移動した状態、（Ｃ）は（Ｂ）よりもさらに可動部３が基部２側へ移動した状態、（Ｄ）は（Ｃ）よりもさらに可動部３が基部２側へ移動した状態、（Ｅ）は可動部３が基部２に係合した状態。
【図１２】図１２はチューブを装着したクランプの側面図と断面図である。（Ａ）は（Ａ）は末端ＤＥ側から見た側面図、（Ｂ）は第１側部Ｓ１方向から見た側面図、（Ｃ）は（Ａ）のＡ−Ａ´断面図、（Ｄ）はクランプを閉じたところの断面図、（Ｅ）は（Ｃ）のＢ−Ｂ´断面図、（Ｆ）は（Ｄ）のＣ−Ｃ´断面図である。
【図１３】図１３は、可動部３の可動部側壁３ＳＷと基部２のチューブ保持部５の末端側壁５ＳＷ／ＤＥのその他の実施例を示す一部拡大断面図である。
【発明を実施するための最良の形態】
【００１６】
本発明のクランプの理解を容易にするため、以下の定義をおく。
本発明の請求項、発明の説明に付した符号は、本発明のクランプの理解を容易にするために記載したものであり、符号そのものが発明を特定するものではない。
本発明のクランプは、長手Ｌ方向と、当該長手Ｌ方向に略垂直に交差する側部Ｓ方向（「長手」に対して「短い」方向を意味する）を有する。
本発明で、「末端ＤＥ（側または方向）」とは、長手Ｌ方向の一方向を示し、例えば図１から図２に示すように、可動部側係合部８と基部側係合部９が係合する側の端部、すなわち末端連結部７／ＤＥ側の端部を意味する。
【００１７】
本発明で、「基端ＰＥ（側または方向）」とは、長手Ｌ方向の一方向を示し、例えば図１から図２に示すように、「末端ＤＥ（側または方向）」とは反対側の端部、すなわち基端連結部７／ＰＥ側の端部を意味する。
本発明で、「水平軸線ＨＬ（方向）」とは、図１に示すように、例えば基部２の長手Ｌ方向に延びる方向（図の破線参照）を意味する。
本発明で、「垂直軸線ＶＬ（方向）」とは、図１から図５に示すように、例えば水平軸線ＨＬの長手Ｌ方向と、上下に略垂直に交差して上下方向に延びる方向（図の破線参照）を意味する。
【００１８】
本発明で、「第１側部Ｓ１（側または方向）」とは、側部Ｓ方向の一方向を示し、例えば図１から図２に示すように、末端ＤＥ方向から見て、クランプの右側端部の方向（図の破線矢印参照）を意味する。他方、基端ＰＥ方向から見て、クランプの左側端部の方向（図の破線矢印参照）を意味する。
本発明で、「第２側部Ｓ２（側または方向）」とは、側部Ｓ方向の一方向を示し、例えば図１から図２に示すように、末端ＤＥ方向から見て、クランプの左側端部の方向（図の破線矢印参照）を意味する。他方、基端ＰＥ方向から見て、クランプの右側端部の方向（図の破線矢印参照）を意味する。
【００１９】
本発明で、「上部Ｕ（側または方向）」とは、側部Ｓ方向の一方向を示し、例えば図１から図２に示すように、水平軸線ＨＬの長手Ｌ方向と略垂直に交差して上方向に延びる方向（図の破線参照）を意味する。
本発明で、「下部Ｄ（側または方向）」とは、側部Ｓ方向の一方向を示し、例えば図１から図２に示すように、水平軸線ＨＬの長手Ｌ方向と略垂直に交差して下方向に延びる方向（図の破線参照）を意味する。
【００２０】
例えば側壁５ＳＷの説明で、両側部（第１側部Ｓ１と第２側部Ｓ２）に一対の側壁５ＳＷを形成したとは、第１側部Ｓ１側の側壁５ＳＷ／Ｓ１と第２側部Ｓ２側の側壁５ＳＷ／Ｓ２を形成したことを意味する。
また基端ＰＥ側の位置のみを特定したい場合は５ＳＷ／ＰＥと記載し、また第１側部Ｓ１側の位置を特定したい場合は５ＳＷ／Ｓ１と記載する。
また当該基端ＰＥ側の側壁５ＳＷ／ＰＥで、かつ第１側部Ｓ１側の位置も特定したい場合は、５ＳＷ／ＰＥ／Ｓ１と記載する。
【００２１】
クランプの構成部材の位置を示す符号は「／」の次に「Ｓ１」と記載する。例えば側壁５ＳＷの場合を例示すると、第１側部側の側壁は、「５ＳＷ／Ｓ１」と記載する。
またクランプの構成部材の位置を例えば「基端側」、「第１側部」のように二方向で記載する場合は、「５ＳＷ／ＰＥ／Ｓ１」のように記載した。
その他の部材も同様に記載した。
本発明の説明で、「第一の状態」とは、例えば図１２（Ａ）、（Ｂ）に示すように、チューブに装着し、チューブの流路を遮断する前の開放状態を意味する。
「第二の状態」とは、図１２（Ｄ）、（Ｆ）に示すように、チューブに装着し、チューブの流路を遮断した状態を意味する。
【００２２】
［クランプ］
本発明のクランプの実施例について、以下、図１〜図１３を参照しながら説明する。また本発明の以下の説明でクランプ１とチューブＴの符号「１」、「Ｔ」は省略する。
本発明のクランプは、基部２と可動部３を有する。可動部３は（相対的に）上部Ｕ側、基部２は（相対的に）下部Ｄ側に位置する。
［（注）本発明の説明で、このように「任意の部材（部品）」を「有する」とは、すくなくともその「任意の部材（部品）」を「持つ」、「含む」等と実質的に同じ意味である。］
【００２３】
［基部２と可動部３］
基部２は、いわゆる「略板状」の形態に形成している。基部２は、その他に底部、基板、固定部という場合もある。
可動部３も、いわゆる「略板状」の形態に形成している。可動部３は、天上部、可動板、封止部という場合もある。
基部２と可動部３は、基端連結部７／ＰＥにより繋がっており、各対向面にそれぞれチューブを押圧して閉止するチューブ押圧部（後述する）を形成し、またそれぞれの一端部に相互に係合する基部側係合部９と可動部側係合部８を形成している。
【００２４】
［基部２］
基部２は、基端ＰＥ側に基端連結部７／ＰＥを形成している。
［（注）本発明の説明で、このように「任意の部材（部品）」の一端部に「他の部材（部品）」を「形成」しているとは、「接続」、「連結」、「延設」、「配置」等と実質的に同じ意味である。］
基端連結部７／ＰＥは、下部Ｄ側から基端ＰＥ側、さらに上部Ｕ側へ向けて湾曲（または屈曲ともいう）して立ち上がるように形成している。
基端連結部７／ＰＥは、チューブを通すための基端開口７Ｏ／ＰＥを形成している。
【００２５】
［（注）本発明の説明で、このように「任意の部材（部品）」に「開口」を「形成」しているとは、「任意の部材（部品）」の少なくとも任意の位置に、任意の形態の「開口」をすくなくとも一箇所形成していればよいことを意味する。］
さらに基端連結部７／ＰＥの上部Ｕ側に、可動部３（詳細は後述する）を形成している。
基部２は、末端ＰＥ側に末端連結部７／ＤＥを形成している。
末端連結部７／ＤＥは、下部Ｄ側から末端ＤＥ側、さらに上部Ｕ側へ向けて湾曲して立ち上がるように形成している。
末端連結部７／ＤＥは、チューブを通すための開口７Ｏ／ＤＥを形成している。
【００２６】
［基部側係合部９］
末端連結部７／ＤＥは、上部Ｕ側に基部側係合部９を形成している。
基部側係合部９は、図１から図５に例示するように、基端ＰＥ側に向けて可動部側係合部８の可動部側末端壁８ＦＷに対向して、係合突起部９Ｔを突設している。
基部側係合部９と係合突起部９Ｔは、いわゆる「凸状」（または突状、突部ともいう）に形成している。
係合突起部９Ｔは、第１側部Ｓ１（第２側部Ｓ２）方向から見ると、いわゆる緩やかに湾曲（屈曲）した矩形状（図２（Ｂ）参照）、上部Ｕ方向から見るといわゆる略台形（矩形）状の形態（図４、図９（Ａ）参照）を有する。
係合突起部９Ｔの（後述する）可動部側係合部８の末端ＤＥ側の可動部側末端壁８ＦＷとの対向面は、いわゆる緩やかに湾曲（屈曲）した斜面に形成している。
また基部側係合部９の係合突起部９Ｔの両側部（第１側部Ｓ１側と第２側部Ｓ２側）の面［（後述する）係合側壁８ＳＷの湾曲部が、接触ないし通過する面］はいわゆる緩やかに湾曲（屈曲）した斜面に形成している。（図９（Ａ）参照。）
【００２７】
図４に例示するように、係合突起部９Ｔの幅（第１側部Ｓ１−第２側部Ｓ２方向の長さ／距離）は、基部側係合部９の幅（第１側部Ｓ１―第２側部Ｓ２方向の長さ）内に収まるように狭く（小さく）形成している。
係合突起部９Ｔの長さ（上部Ｕ−下部Ｄ方向の長さ／距離）は、基部側係合部９の長さ（上部Ｕ−下部Ｄ方向の長さ／距離）よりも上部Ｕ側を若干短く形成している。（図２（Ｂ）も参照。）
係合突起部９Ｔの下部Ｄ側の壁は、基部側係合壁９Ｗとしての役割を果たす。（機能する。）基部側係合壁９Ｗは、（後述する）可動部側係合壁８Ｗと係合する。
基部側係合部９の両側部（第１側部Ｓ１側と第２側部Ｓ２側）の下部Ｄ方向の壁面には、（後述する）一対の係合側壁８ＳＷ（第１側部側係合側壁８ＳＷ／Ｓ１と第２側部側係合側壁８ＳＷ／Ｓ２）の湾曲部が当接される。（図４、図５（Ｃ）参照。）
【００２８】
基部２は、図１に例示するように、長手Ｌ方向に見て末端ＤＥ側から略中央を経て基端ＰＥ側にわたって、かつ上部Ｕ（天面）側に基部側チューブ押圧部２．１とチューブ保持部５を有する。
［（注）本発明の説明で、このように「任意の部材（部品）」に、「他の部材（部品）」を「有する」とは、「任意の部材（部品）」に、「他の部材（部品）」を「形成」、「接続」、「連結」、「延設」、「突設」、「立設」、「配置」している等と実質的に同じ意味である。］
基部側チューブ押圧部２．１は、長手Ｌ方向の略中央部（やや基端ＰＥ側より）に形成している。
基部側チューブ押圧部２．１は、図１、図２（Ｂ）に例示するように、第１側部Ｓ１方向からみて、いわゆる「略波形状」に形成している。当該略波形の頂点近傍に相当する領域は湾曲部２．１Ｒを形成している。
【００２９】
チューブ保持部５は、側壁空間５ＳＷＳＰ（５ＳＷＳＰ／Ｓ１、５ＳＷＳＰ／Ｓ１）を隔てて、一対の末端ＤＥ側のチューブ保持部５／ＤＥ（末端側チューブ保持部５／ＤＥ）と基端ＰＥ側のチューブ保持部５／ＰＥ（基端側チューブ保持部５／ＰＥ）を有する。
末端側チューブ保持部５／ＤＥは、一対の末端側壁５ＳＷ／ＤＥ（５ＳＷ／ＤＥ／Ｓ１、５ＳＷ／ＤＥ／Ｓ２）を有し、当該末端側壁５ＳＷ／ＤＥの上部Ｕ側は、末端側上部壁５Ｗ／ＤＥ／Ｕで覆っている。
末端側上部壁５Ｗ／ＤＥ／Ｕにより、末端側第１側壁５ＳＷ／ＤＥ／Ｓ１と末端側第２側壁５ＳＷ／ＤＥ／Ｓ２は、上部Ｕ側で繋がっている。
末端側チューブ保持部５／ＤＥは、末端ＤＥ側と基端ＰＥ側はチューブを通すために開口している。（あえて図に符号は記載していない。）
基端側チューブ保持部５／ＰＥは、一対の基端側壁５ＳＷ／ＰＥ（５ＳＷ／ＰＥ／Ｓ１、５ＳＷ／ＰＥ／Ｓ２）を有し、当該基端側壁５ＳＷ／ＰＥの上部Ｕ側は開放している。
基端側チューブ保持部５／ＰＥは、末端ＤＥ側と基端ＰＥ側はチューブを通すために開口している。（あえて図に符号は記載していない。）
【００３０】
末端側チューブ保持部５／ＤＥは、基部側チューブ押圧部２．１よりも末端ＤＥ側に形成し、基端側チューブ保持部５／ＰＥは、基部側チューブ押圧部２．１よりも基端ＰＥ側に形成している。
末端側チューブ保持部５／ＤＥと基端側チューブ保持部５／ＰＥとの間の上部Ｕ側は、第１側部Ｓ１（第２側部Ｓ２）方向から見て、いわゆる「略漏斗状」の上部開口５Ｏ／Ｕとなっている。
末端側チューブ保持部５／ＤＥの内部はチューブを通すための末端側チューブ保持空間５ＳＰ／ＤＥとなり、基端側チューブ保持部５／ＰＥの内部はチューブを通すための基端側チューブ保持空間５ＳＰ／ＰＥとなっている。
以上のように末端側上部壁５Ｗ／ＤＥ／Ｕで覆った末端側チューブ保持部５／ＤＥは、主チューブ保持部材５／ＤＥといい、上部壁で覆っていない基端側チューブ保持部５／ＰＥは補助チューブ保持部材５／ＰＥという場合がある。
【００３１】
図に例示した末端側チューブ保持部５／ＤＥは、第１側部Ｓ１（第２側部Ｓ２）方向から見て、いわゆる「略台形状」の形態を有し、上部Ｕ方向から見て、いわゆる「略矩形状」の形態、末端ＤＥ側（基端ＰＥ）から見ていわゆる「略矩形状」の形態を有する。
末端側チューブ保持部５／ＤＥは、一対の側壁５ＳＷ／ＤＥと上部壁５Ｗ／ＤＥ／Ｕを有するいわゆる有蓋の「略ドーム状」の形態を有していれば、図に例示したものに特定されない。
また図に例示した基端側チューブ保持部５／ＰＥは、第１側部Ｓ１（第２側部Ｓ２）方向から見て、いわゆる「略葉状」の形態を有する。基端側チューブ保持部５／ＰＥは、一対の側壁５ＳＷ／ＰＥを有する、いわゆる一対の「略葉状」の形態を有していれば、図に例示したものに特定されない。
【００３２】
基端側チューブ保持部５／ＰＥの形態は、チューブを両側部（第１側部Ｓ１、第２側部Ｓ２）から保持できる形態であれば、矩形、半円状の形態でも良い。
本発明のクランプは、以上のように末端側チューブ保持部５／ＤＥ
と基端側チューブ保持部５／ＰＥ、（後述する）上部Ｕ側の可動部側チューブ押圧部突部６Ｔの湾曲部６ＴＲ、下部Ｄ側の基部側チューブ押圧部２．１の湾曲部２．１Ｒによりチューブを保持することができる。
【００３３】
［可動部３］
可動部３は、末端ＤＥ側に可動部側係合部８を形成している。
可動部側係合部８は、末端ＤＥ側に可動部側末端壁８ＦＷを形成している。可動部側末端壁８ＦＷは、いわゆる「斜面状」の形態を有する。
可動部側係合部８は、上部Ｕ側は実質的に平坦ないし緩やかな斜面に形成している。当該平坦部は可動部側係合壁８Ｗとしての役割を果たす。可動部側係合壁８Ｗは、（前述した）基部側係合壁９Ｗと係合する
可動部側係合部８は、両側部（第１側部Ｓ１側と第２側部Ｓ２側）に一対の係合側壁８ＳＷ（８ＳＷ／Ｓ１、８ＳＷ／Ｓ２）を形成している。
【００３４】
係合側壁８ＳＷは、第１側部Ｓ１側（第２側部Ｓ２側）から見て、末端側ＤＥから下部Ｄ側に向けて、いわゆる「円弧状」の形態を有する。
係合側壁８ＳＷは、すくなくとも湾曲部を有すればよく、他に略半円状、略楕円状の形態でもよい。
一対の係合側壁８ＳＷの末端ＤＥ側から見た内面は、上部Ｕから下部Ｄへ向けて広がる傾斜壁８ＳＷＳ（８ＳＷＳ１、８ＳＷＳ２）を形成している。当該傾斜壁８ＳＷは、可動部３が基部２方向へ移動する際に、前記係合突起９Ｔの略台形状の両側部の斜辺に沿って移動できるように形成したものである。
係合側壁８ＳＷは、可動部側係合壁８Ｗの下部Ｄ側に形成し、図３（Ｂ）に例示するように、可動部側係合壁８Ｗと（前述した）基部側係合壁９Ｗとを係合した状態で見た時に、可動部側係合壁８Ｗよりも、末端ＤＥ側に実質的に突出しないように形成している。これにより特許文献１で指摘した基部側係合部９との干渉を回避することができる。実質的に突出しないとは、基部側係合部９との干渉を回避できれば、わずかな突出は許容される。
【００３５】
一対の係合側壁８ＳＷは、可動部側係合部８と基部側係合部９が係合する時に、湾曲部の壁面が基部側係合部９の第１側部Ｓ１側と第２側部Ｓ２側に沿って、さらに傾斜壁８ＳＷが係合突起９Ｔの略台形状の両側部の斜辺に沿って、抵抗が少なく下部Ｄ方向へ移動するので、係合を促進することができる。
また可動部側係合部８と基部側係合部９が係合した時に、図４に例示するように第１側部側係合側壁８ＳＷ／Ｓ１と第２側部側係合側壁８ＳＷ／Ｓ２の上部Ｕ側の壁面が、基部側係合部９の第１側部Ｓ１側と第２側部Ｓ２側の下部Ｄ方向の壁面に当接されることにより、第１側部Ｓ１側と第２側部Ｓ２側から係合の維持をサポートすることができる。
可動部３は、さらに当該可動部側係合壁８Ｗから基端ＰＥ側に向けて緩やかに上る斜面３ＳＬを介して頂部３Ｔを形成している。
また可動部３の頂部３Ｔよりも基端ＰＥ側の天面（上部Ｕ側）は、側部Ｓ方向に沿うように、細長い複数の突起３Ｋを形成している。
【００３６】
可動部３は、両側部（第１側部Ｓ１側と第２側部Ｓ２側）に一対の可動部側壁部３ＳＷ（３ＳＷ／Ｓ１、３ＳＷ／Ｓ２）を形成している。可動部側壁部３ＳＷは、第１側部Ｓ１（第２側部Ｓ２）側から見て、いわゆる「矩形状」の形態を有する。
可動部側壁部３ＳＷは、係合側壁８ＳＷの基端ＰＥ側の下部Ｄから下部Ｄ方向に突出（突設）し、（後述する）可動部側チューブ押圧部６の可動部側チューブ押圧部突部６Ｔ方向に伸び、さらに可動部側チューブ押圧部６の末端ＤＥ側の壁面を上部Ｕ方向に上り、可動部８の略中腹部の下部Ｄ側に至っている。
一対の可動部側壁部３ＳＷの内面は、末端ＤＥ（基端ＰＥ）方向から見て、上部Ｕ側から下部Ｄ側に向けて広がるように傾斜して形成している。いわゆる一対の傾斜壁３ＳＷ（３ＳＷ／Ｓ１、３ＳＷＳ２）を形成している。
当該一対の傾斜壁３ＳＷ（３ＳＷ／Ｓ１、３ＳＷＳ２）は後述するようにクランプ（可動部３）の捩れを解消する役割を果たす。
【００３７】
さらに可動部３は、前記可動部側壁部３ＳＷの基端ＰＥ側でかつ下部Ｄ側に可動部側チューブ押圧部６を形成（突設）している。
可動部側チューブ押圧部６は、図１、図２（Ｂ）に例示するように、第１側部Ｓ１（第２側部Ｓ２）方向からみて、下部Ｄ側に向けて先細りとなるように、いわゆる「略Ｖ字状」に形成している。
さらにいえば、可動部側チューブ押圧部６は、下部Ｄ側に可動部側チューブ押圧部突部６Ｔを形成している。可動部側チューブ押圧部突部６Ｔは、図１、図２（Ｂ）に例示するように、略中央部（チューブ押圧部）は下部Ｄ側に湾曲した湾曲部６ＴＲ（略半円状、略半球状）を形成している。  
チューブは、可動部側チューブ押圧部突部６Ｔの湾曲部６ＴＲと、基部側チューブ押圧部２．１の湾曲部２．１Ｒとの間で押圧・挟持される。
【００３８】
チューブは、末端側チューブ保持部５／ＤＥ、基端側チューブ保持部５／ＰＥのそれぞれのチューブ保持空間５ＳＰ／ＤＥ、５ＳＰ／ＰＥに通された状態で、可動部側係合壁８Ｗと基部側係合壁９Ｗとが係合することにより閉塞される。
すなわちチューブは、基部２の上部Ｕ、側壁空間５ＳＷＳＰ近傍で、湾曲部６ＴＲと湾曲部２．１Ｒに押圧・挟持され、チューブのガタツキがなく確実に閉塞でき、さらにチューブの流路の閉塞状態を長時間、維持継続できる。
【００３９】
次に本発明のクランプの使用方法について説明する。
[クランプとチューブの組み立て]
チューブの基端ＰＥを、末端開口７Ｏ／ＤＥより、末端側チューブ保持空間５ＳＰ／ＤＥに挿入する。
さらにチューブの基端ＰＥを、末端側チューブ保持空間５ＳＰ／ＤＥから基端側チューブ保持空間５ＳＰ／ＰＥを経て、基端開口７Ｏ／ＰＥより、クランプの基端ＰＥ側より外に引き出して、クランプに装着する。
これにより図７（Ａ）、（Ｂ）、（Ｃ）［図１２（Ａ）、（Ｂ）、（Ｃ）］のように「第一の状態」となる。
［（注）本発明で、チューブをクランプに「装着」するとは、チューブをクランプの前記末端開口７Ｏ／ＤＥ、末端側チューブ保持空間５ＳＰ／ＤＥ、基端側チューブ保持空間５ＳＰ／ＰＥ、基端開口７Ｏ／ＰＥの符号で示した開口、空間に「通す」、「挿入」、「挿着」、「差し入れる」等して、クランプ付き医療用具を組み立てることを意味する。］
【００４０】
「第一の状態」から「第二の状態」
「第一の状態」図７（Ａ）、（Ｂ）、（Ｃ）［図１２（Ａ）、（Ｂ）、（Ｃ）］から、例えば片手でクランプを持って、親指の腹で可動部３を基部２方向（末端ＤＥ側から下部Ｄ方向）に押し下げる。
可動部側係合部８（可動部側係合壁８Ｗ）は、基部側係合部９（基部側係合壁９Ｗ）に向けて移動する。
可動部側末端壁８ＦＷの壁面（斜面）は、係合突起部９Ｔの壁面（湾曲面）と接触し、さらに係合側壁８ＳＷ（第１側部側係合側壁８ＳＷ／Ｓ１、第２側部側係合側壁８ＳＷ／Ｓ２）の下部Ｄは、基部側係合部９の壁面（第１側部Ｓ１側と第２側部Ｓ２側）の壁面に接触し、可動部側係合部８は基部側係合部９を基部２方向（末端ＤＥ側から下部Ｄ方向）に押し下げる。
（可動部側チューブ押圧部６の）可動部側チューブ押圧部突部６Ｔの湾曲部６ＴＲも、チューブ保持部５の上部開口５Ｏ／Ｕへ向けて移動し、上部開口５Ｏ／Ｕの下部Ｄ側へ侵入し、上部Ｕ側から、チューブの押圧を開始する。
【００４１】
可動部側係合部８の可動部側末端壁８ＦＷの斜面は、基部側係合部９の係合突起部９Ｔの斜面に沿って、さらに傾斜壁８ＳＷも係合突起９Ｔの略台形状の両側部の斜辺に沿って抵抗が少なく下部Ｄ方向へ移動することができる。
円弧状の係合側壁８ＳＷも基部側係合部９の第１側部Ｓ１側と第２側部Ｓ２側に沿って抵抗が少なく下部Ｄ方向へ移動することができる。
可動部側係合壁８Ｗは、一度基部側係合壁９Ｗよりも下部Ｄ側に移動するが、基端連結部７／ＰＥの弾性変形により、上部Ｕ側に戻り、基部側係合壁９Ｗと係合する。
基部側係合部９の第１側部Ｓ１側と第２側部Ｓ２側の下部Ｄ方向の壁面は、第１側部側係合側壁８ＳＷ／Ｓ１と第２側部側係合側壁８ＳＷ／Ｓ２が当接される。（図４参照）
【００４２】
可動部側チューブ押圧部突部６Ｔの湾曲部６ＴＲは、側壁空間５ＳＷＳＰ近傍まで深く侵入し、上部Ｕ側から、チューブを押圧する。チューブは、下部Ｄ側、すなわち基部側チューブ押圧部２．１の湾曲部２．１Ｒ側からも押圧される。
この時、チューブは、末端側チューブ保持部５／ＤＥの一対の側壁５ＳＷ／ＤＥ、末端側上部壁５／ＤＥ／Ｕ、さらに基端側チューブ保持部５／ＰＥの一対の側壁５ＳＷ／ＰＥ、末端側第２側壁５ＳＷ／ＤＥ／Ｓ２により保持される。
チューブは、上部Ｕ側から可動部側チューブ押圧部突部６Ｔのアール部６ＴＲ、下部Ｄ側から基部側チューブ押圧部２．１の湾曲部２．１Ｒから押圧され、チューブの流路は完全に閉塞する。
【００４３】
図９（Ｂ）に示すように、可動部３の基端連結部７／ＰＥから第２側部Ｓ２方向へ捩れた場合、図１１（Ｂ）から（Ｅ）のように、可動部３を基部２側に押し下げる途中で捩れを解消し、捩れのない状態でチューブの液体流路を閉塞することができる。
図１１（Ａ）（図９（Ｂ）の状態に対応している。）の状態から、図１１（Ｂ）のように、可動部３を基部２方向に押し下げると、第１側部側傾斜壁３ＳＷＳ／Ｓ１の下部が末端側第１側壁５ＳＷ／ＤＥ／Ｓ１の上部に接触する。（図１１（Ｂ）の矢印の先端参照。）  
図１１（Ｃ）のように、さらに可動部３を基部２方向に押し下げると、第１側部側傾斜壁３ＳＷＳ／Ｓ１は下部から中間部に至るまで、末端側第１側壁５ＳＷ／ＤＥ／Ｓ１の上部へ移動する。（図１１（Ｃ）の矢印の先端参照。）この時クランプの捩れはかなり改善されている。
【００４４】
図１１（Ｄ）のように、可動部３が第１側部Ｓ１方向に移動して、図１１（Ｅ）のように、可動部３の可動部側壁３ＳＷは、側壁５ＳＷに側壁に係合する。この時可動部３の捩れは解消されている。
すなわち、可動部３は基部２方向に押し下げられるにつれて、一対の可動部側壁３ＳＷ（３ＳＷ／Ｓ１、３ＳＷ／Ｓ２）は、傾斜壁３ＳＷＳ（３ＳＷ／Ｓ１、３ＳＷ／Ｓ２）に沿って、末端側上部壁５Ｗ／ＤＥ／Ｕから  
一対の末端側側壁５ＳＷ／ＤＥ（５ＳＷ／ＤＥ／Ｓ１、５ＳＷ／ＤＥ／Ｓ２）の両側部（第１側部Ｓ１、第２側部Ｓ２）に係合するので、クランプ（可動部３）の捩れを解消することができる。
【００４５】
また可動部３を基部２方向に押し下げて、チューブを閉塞するに際し、図８（Ｂ）のように、チューブが第１側部Ｓ１方向にずれた状態、図８（Ｃ）のようにチューブが上部Ｕ方向にずれた状態でも、末端側チューブ保持部５／ＤＥ［一対の末端側壁５ＳＷ／ＤＥ（５ＳＷ／ＤＥ／Ｓ１、５ＳＷ／ＤＥ／Ｓ２）を有し、当該末端側壁５ＳＷ／ＤＥの上部Ｕ側は、末端側上部壁５Ｗ／ＤＥ／Ｕで覆っている。］の末端側チューブ保持空間（５ＳＰ／ＤＥ）内に保持できる。
この状態で、可動部側係合壁８Ｗと基部側係合壁９Ｗを係合し、チューブは、側壁空間５ＳＷＳＰ近傍で、前記可動部側チューブ押圧部突部６Ｔの湾曲部６ＴＲと基部側チューブ押圧部２．１の湾曲部２．１Ｒとの間で押圧・挟持され、これにより当該チューブの流路を閉塞することができる。
【００４６】
「第二の状態」から「第一の状態」
使用者は親指の腹で、末端ＤＥ方向に、基部側係合部９を押すと基部側係合部９は末端ＤＥ方向に移動し、可動部側係合壁８Ｗと基部側係合壁９Ｗの係合は解除される。
以上のように本発明のクランプは、チューブの流路を閉じた状態から開放状態に戻すのも容易である。
【００４７】
［その他の実施例］
前記実施例では、クランプ（可動部３）の捩れを解消するために、末端側チューブ保持部５／ＤＥの一対の末端側壁５ＳＷ／ＤＥは、略垂直側壁５ＳＷＶとして、基部２から上部Ｕ方向に立設し、かつ可動部側壁部３ＳＷは、上部Ｕ側から下部Ｄ側に向けて広がる傾斜壁３ＳＷとして立設した旨を図面と説明で記載したが、これらに限定されない。
その他の実施例として、図１３に示すように、末端側チューブ保持部５／ＤＥの一対の末端側壁５ＳＷ／ＤＥは、基部２から上部Ｕ方向に先細りに傾斜した傾斜壁５ＳＷＳ／ＤＥとして立設し、かつ可動部側壁部３ＳＷは、上部Ｕ側から下部Ｄ側に向けて略垂直壁３ＳＷＶとして立設しても、前記実施例と同様にクランプ（可動部３）の捩れを解消することができる。
【００４８】
本発明のクランプは、同一材料で一体成形により形成することが好ましい。
例えば、射出成形等が可能な熱可塑性合成樹脂で形成することが好ましく、例えばＰＥ（ポリエチレン）、ＰＰ（ポリプロピレン）、ＰＢ（ポリブチレン）、ＰＳ（ポリスチレン）、ＰＶＣ（ポリ塩化ビニル）、ＰＭＭＡ（ポリメチルメタクリレート）、ＰＭＡ（ポリメチルアクリレート）、ＰＣ（ポリカーボネート）、ＰＡｍ（ポリアミド）等があげられるが、これに限定されるものではない。
【符号の説明】
【００４９】
１       クランプ
２       基部
２．１    基部側チューブ押圧部
２．１Ｒ  湾曲部
３  可動部
３ＳＷ  可動部側壁
３ＳＷ／Ｓ１  第１側部側可動部側壁
３ＳＷ／Ｓ２  第２側部側可動部側壁
３ＳＷＳ  傾斜側壁
３ＳＷＳ／Ｓ１  第１側部側傾斜壁
３ＳＷＳ／Ｓ２  第２側部側傾斜壁
３ＳＷＶ  略垂直側壁
３Ｔ    頂部
３ＳＬ  斜面
３Ｋ      突起
５   チューブ保持部
５／ＰＥ  基端ＰＥ側のチューブ保持部（基端側チューブ保持部）
５／ＤＥ  末端ＤＥ側のチューブ保持部（末端側チューブ保持部）
５ＳＷ      側壁
５ＳＷ／ＰＥ  基端側壁
５ＳＷ／ＤＥ  末端側壁
５ＳＷＶ    略垂直側壁
５ＳＷＳ    傾斜側壁
５ＳＷ／ＰＥ／Ｓ１  基端側第１側壁
５ＳＷ／ＰＥ／Ｓ２  基端側第２側壁
５ＳＷ／ＤＥ／Ｓ１  末端側第１側壁
５ＳＷ／ＤＥ／Ｓ２  末端側第２側壁
５ＳＷＳＰ    側壁空間
５ＳＷＳＰ／Ｓ１  第１側部側壁空間
５ＳＷＳＰ／Ｓ２  第２側部側壁空間
５Ｗ／ＤＥ／Ｕ  末端側上部壁
５Ｏ／Ｕ      上部開口
５ＳＰ／ＤＥ      末端側チューブ保持空間
５ＳＰ／ＰＥ      基端側チューブ保持空間
６  可動部側チューブ押圧部
６Ｔ  可動部側チューブ押圧部突部
６ＴＲ  湾曲部
７／ＰＥ  基端連結部
７Ｏ／ＰＥ  基端開口
７／ＤＥ  末端連結部
７Ｏ／ＤＥ  末端開口
８    可動部側係合部
８Ｗ  可動部側係合壁
８ＦＷ  可動部側末端壁
８ＳＷ        係合側壁
８ＳＷ／Ｓ１  第１側部側係合側壁
８ＳＷ／Ｓ２  第２側部側係合側壁
８ＳＷＳ      傾斜側壁
８ＳＷＳ／Ｓ１  第１側部側傾斜側壁
８ＳＷＳ／Ｓ２  第２側部側傾斜側壁
９    基部側係合部
９Ｔ  係合突起部
９Ｗ  基部側係合壁
Ｔ    チューブ
Ｌ    長手方向
ＨＬ  水平軸線
ＶＬ  垂直軸線
ＰＥ  基端
ＤＥ  末端
Ｓ    側部方向
Ｓ１  第１側部
Ｓ２  第２側部
Ｕ  上部
Ｄ  下部
【図１】
2018000836.tif 000003
【図２】
2018000836.tif 000004
【図３】
2018000836.tif 000005
【図４】
2018000836.tif 000006
【図５】
2018000836.tif 000007
【図６】
2018000836.tif 000008
【図７】
2018000836.tif 000009
【図８】
2018000836.tif 000010
【図９】
2018000836.tif 000011
【図１０】
2018000836.tif 000012
【図１１】
2018000836.tif 000013
【図１２】
2018000836.tif 000014
【図１３】
2018000836.tif 000015